【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
２つの部材を備え、
該２つの部材のうち一方側部材が、その外周縁領域全体のうち少なくとも一部に沿って延びる一方側接合領域を有し、
前記２つの部材のうち他方側部材が、前記一方側接合領域に重なるように配置されると共に前記一方側接合領域に接合される他方側接合領域を有し、
前記一方側接合領域が、前記一方側接合領域の長手方向に沿って階段形状に形成される一方側段差部分を有し、
前記他方側接合領域が、前記長手方向に沿って階段形状に形成される他方側段差部分を有し、
前記一方側及び他方側段差部分が前記長手方向にて互いに対応して配置される、接合体であって、
前記一方側及び他方側段差部分間に隙間が形成されており、
前記一方側及び他方側段差部分が、前記隙間に配置される第１の溶接ビードと、該第１の溶接ビードに対して前記第１の溶接ビードの延びる方向に沿って隣接する第２の溶接ビードとによって接合されて、前記一方側及び他方側接合領域が接合されている、接合体。
【請求項２】
前記第１の溶接ビードが、前記隙間における前記長手方向の両端に跨って位置し、
さらに、前記第１の溶接ビードが、前記隙間における前記一方側及び他方側段差部分の重なり方向の両端に跨って位置している、請求項１に記載の接合体。
【請求項３】
前記第１の溶接ビードの横断面が、前記重なり方向に沿ったビード高さ方向の頂部から基部に向かって広がるように山形形状に形成され、
前記頂部が一方側段差部分に当接し、かつ前記基部が他方側段差部分に当接し、
前記頂部が、前記ビード高さ方向に直交する前記横断面のビード幅方向の中心に位置しており、
前記横断面の最大高さに対する前記横断面の最大幅の比率が２．６以上かつ３．０以下となっている、請求項１又は２に記載の接合体。
【請求項４】
前記第２の溶接ビードが、前記一方側段差部分の先端部側から前記一方側段差部分の先端部を覆うように配置されると共に、前記第１の溶接ビードと当接している、請求項１〜３のいずれか一項に記載の接合体。
【請求項５】
前記第２の溶接ビードが、前記隙間における前記長手方向の少なくとも一方端から、前記隙間に対して前記長手方向の外方に向かってさらに延びており、
前記第２の溶接ビードにおける前記長手方向の長さが、前記第１の溶接ビードにおける前記長手方向の長さよりも長くなっている、請求項１〜４のいずれか一項に記載の接合体。
【請求項６】
２つの部材を備え、
該２つの部材のうち一方側部材が、その外周縁領域全体のうち少なくとも一部に沿って延びる一方側接合領域を有し、
前記２つの部材のうち他方側部材が、前記一方側接合領域に重なるように配置されると共に前記一方側接合領域に接合される他方側接合領域を有し、
前記一方側接合領域が、前記一方側接合領域の長手方向に沿って階段形状に形成される一方側段差部分を有し、
前記他方側接合領域が、前記長手方向に沿って階段形状に形成される他方側段差部分を有し、
前記一方側及び他方側段差部分が前記長手方向にて互いに対応して配置される、接合体であって、
前記一方側及び他方側段差部分間に隙間が形成された状態で、前記一方側及び他方側接合領域が接合されている、接合体。
【手続補正２】
【補正対象書類名】明細書
【補正対象項目名】０００７
【補正方法】変更
【補正の内容】
【０００７】
課題を解決するために、本発明の一態様に係る接合体によれば、２つの部材を備え、該２つの部材のうち一方側部材が、その外周縁領域全体のうち少なくとも一部に沿って延びる一方側接合領域を有し、前記２つの部材のうち他方側部材が、前記一方側接合領域に重なるように配置されると共に前記一方側接合領域に接合される他方側接合領域を有し、前記一方側接合領域が、前記一方側接合領域の長手方向に沿って階段形状に形成される一方側段差部分を有し、前記他方側接合領域が、前記長手方向に沿って階段形状に形成される他方側段差部分を有し、前記一方側及び他方側段差部分が前記長手方向にて互いに対応して配置される、接合体であって、前記一方側及び他方側段差部分間に隙間が形成されており、前記一方側及び他方側段差部分が、前記隙間に配置される第１の溶接ビードと、該第１の溶接ビードに対して前記第１の溶接ビードの延びる方向（第１の溶接ビードの長手方向）に沿って隣接する第２の溶接ビードとによって接合されて、前記一方側及び他方側接合領域が接合されている。そのため、一方側及び他方側段差部分間の位置ズレをこれらの間の隙間によって吸収することができて、その結果、一方側及び他方側段差部分を互いに対して正確に位置決めすることができる。さらに、このように一方側及び他方側段差部分が正確に位置決めされた状態で、一方側及び他方側段差部分間の隙間に配置された第１の溶接ビード、及び該第１の溶接ビードに対して第１の溶接ビードの長手方向に沿って隣接する第２の溶接ビードによって、一方側及び他方側段差部分が接合されるので、一方側及び他方側段差部分の接合強度を向上させることができ、その結果、一方側及び他方側接合領域の接合強度を向上させることができる。よって、一方側及び他方側段差部分の位置決め精度を向上させながら、一方側及び他方側接合領域の接合強度を向上させることができる。
【手続補正３】
【補正対象書類名】明細書
【補正対象項目名】００１２
【補正方法】変更
【補正の内容】
【００１２】
課題を解決するために、本発明の別の一態様に係る接合体によれば、２つの部材を備え、該２つの部材のうち一方側部材が、その外周縁領域全体のうち少なくとも一部に沿って延びる一方側接合領域を有し、前記２つの部材のうち他方側部材が、前記一方側接合領域に重なるように配置されると共に前記一方側接合領域に接合される他方側接合領域を有し、前記一方側接合領域が、前記一方側接合領域の長手方向に沿って階段形状に形成される一方側段差部分を有し、前記他方側接合領域が、前記長手方向に沿って階段形状に形成される他方側段差部分を有し、前記一方側及び他方側段差部分が前記長手方向にて互いに対応して配置される、接合体であって、前記一方側及び他方側段差部分間に隙間が形成された状態で、前記一方側及び他方側接合領域が接合されている。そのため、一方側及び他方側段差部分間の位置ズレをこれらの間の隙間によって吸収することができて、その結果、一方側及び他方側段差部分を互いに対して正確に位置決めすることができる。さらに、このように一方側及び他方側段差部分が正確に位置決めされた状態で、一方側及び他方側接合領域の接合強度を向上させることができる。よって、一方側及び他方側段差部分の位置決め精度を向上させながら、一方側及び他方側接合領域の接合強度を向上させることができる。
【手続補正４】
【補正対象書類名】明細書
【補正対象項目名】００２０
【補正方法】変更
【補正の内容】
【００２０】
さらに、一方側及び他方側接合領域３，４の詳細について説明する。図２及び図３に示すように、一方側接合領域３は、長手方向に沿って１段の略階段形状に形成される一方側段差部分５を有し、他方側接合領域４は、長手方向に沿って１段の略階段形状に形成される他方側段差部分６を有している。一方側及び他方側段差部分５，６は、長手方向にて互いに対応するように配置されている。このような一方側及び他方側接合領域３，４のそれぞれは、プレス加工等によって板材を屈曲させて作製されると好ましい。